(57)【要約】【課題】コンバインの刈取部において、その駆動機構を簡潔な構造とする。【解決手段】刈取部Ｋを平行リンクを介して左右に位置切換可能としたコンバインにおいて、刈取部Ｋに設けた横伝動軸ケース１８の左右端に、リンクブラケット６１Ｌ・６１Ｒを固設し、該リンクブラケット６１Ｌ・６１Ｒに、平行リンクを形成するスライドリンク１７Ｌ・１７Ｒの前端を枢支し、該スライドリンク１７Ｌ・１７Ｒの後端は、横支持杆１６の左右端に左右回動自在に枢支し、刈取部Ｋの最後部に横設される刈取入力軸ケース１３内に、刈取入力軸２４が軸支されており、該刈取入力軸２４の右端に刈取入力プーリー２３を付設し、該刈取入力軸ケース１３の中途部に揺動伝動軸２６の後端が配置され、該揺動伝動軸２６は前記刈取入力軸２４によりベベルギア噛合にて伝動され、該揺動伝動軸２６の前端が、右引起し装置２２Ｒとスターホイール１９Ｒと刈刃２１へ動力伝達する。【選択図】図９
2005052151.tif 000002
【特許請求の範囲】
【請求項１】
刈取部Ｋを平行リンクを介して左右に位置切換可能としたコンバインにおいて、刈取部Ｋに設けた横伝動軸ケース１８の左右端に、リンクブラケット６１Ｌ・６１Ｒを固設し、該リンクブラケット６１Ｌ・６１Ｒに、平行リンクを形成するスライドリンク１７Ｌ・１７Ｒの前端を枢支し、
該スライドリンク１７Ｌ・１７Ｒの後端は、横支持杆１６の左右端に左右回動自在に枢支したことを特徴とするコンバイン。
【請求項２】
請求項１記載のコンバインにおいて、
刈取部Ｋの最後部に横設される刈取入力軸ケース１３内に、刈取入力軸２４が軸支されており、該刈取入力軸２４の右端に刈取入力プーリー２３を付設し、
該刈取入力軸ケース１３の中途部に揺動伝動軸２６の後端が配置され、該揺動伝動軸２６は前記刈取入力軸２４によりベベルギア噛合にて伝動され、該揺動伝動軸２６の前端が、右引起し装置２２Ｒとスターホイール１９Ｒと刈刃２１へ動力伝達することを特徴とするコンバイン。
【発明の詳細な説明】
【技術分野】
【０００１】
本発明は、刈取部を左右にスライド可能としたコンバインに関する。
【背景技術】
【０００２】
従来、機体側に一体的に固定されるブラケットに、平行リンクを介して穀稈刈取用の刈刃を備えた前処理部を左右揺動自在に連結されたコンバインは公知となっている。
例えば、実開平２ー１４２１２３号公報の技術がある。
【特許文献１】実開平２ー１４２１２３号公報
【発明の開示】
【発明が解決しようとする課題】
【０００３】
しかし、上記のような従来の刈取部は、駆動機構が複雑であった。
本発明はこの不具合を解決するものである。
【課題を解決するための手段】
【０００４】
本発明の解決しようとする課題は以上の如くであり、次にこの課題を解決するための手段を説明する。
請求項１においては、刈取部Ｋを平行リンクを介して左右に位置切換可能としたコンバインにおいて、刈取部Ｋに設けた横伝動軸ケース１８の左右端に、リンクブラケット６１Ｌ・６１Ｒを固設し、該リンクブラケット６１Ｌ・６１Ｒに、平行リンクを形成するスライドリンク１７Ｌ・１７Ｒの前端を枢支し、該スライドリンク１７Ｌ・１７Ｒの後端は、横支持杆１６の左右端に左右回動自在に枢支したものである。
請求項２においては、請求項１記載のコンバインにおいて、該刈取部Ｋの最後部に横設される刈取入力軸ケース１３内に、刈取入力軸２４が軸支されており、該刈取入力軸２４の右端に刈取入力プーリー２３を付設し、該刈取入力軸ケース１３の中途部に揺動伝動軸２６の後端が配置され、該揺動伝動軸２６は前記刈取入力軸２４によりベベルギア噛合にて伝動され、該揺動伝動軸２６の前端が、右引起し装置２２Ｒとスターホイール１９Ｒと刈刃２１へ動力伝達するものである。
【発明の効果】
【０００５】
本発明は、以上のように構成したので、次のような効果を奏するものである。
請求項１の如く、刈取部Ｋを平行リンクを介して左右に位置切換可能としたコンバインにおいて、刈取部Ｋに設けた横伝動軸ケース１８の左右端に、リンクブラケット６１Ｌ・６１Ｒを固設し、該リンクブラケット６１Ｌ・６１Ｒに、平行リンクを形成するスライドリンク１７Ｌ・１７Ｒの前端を枢支し、該スライドリンク１７Ｌ・１７Ｒの後端は、横支持杆１６の左右端に左右回動自在に枢支したので、簡潔な構成でコンバインの刈取部スライド機構を構成することが出来たものである。
【０００６】
請求項２の如く、刈取部Ｋの最後部に横設される刈取入力軸ケース１３内に、刈取入力軸２４が軸支されており、該刈取入力軸２４の右端に刈取入力プーリー２３を付設し、該刈取入力軸ケース１３の中途部に揺動伝動軸２６の後端が配置され、該揺動伝動軸２６は前記刈取入力軸２４によりベベルギア噛合にて伝動され、該揺動伝動軸２６の前端が、右引起し装置２２Ｒ・２２Ｒ・２２Ｌとスターホイール１９Ｌと刈刃２１へ動力伝達するものであるから、コンバインの刈取部機構の駆動機構を簡潔に構成することが出来たものである。
【発明を実施するための最良の形態】
【０００７】
次に、実施例を説明する。
図１は、コンバインの正面図、図２は、スライド式刈取部の固定機構を示す斜視略図、図３は、スライド操作レバー上位置の支持状態を示す図、図４は、同じく、中位置の支持状態を示す図、図５は、刈取部の側面図、図６は、同じく、平面図、図７は、スライドリンクの揺動を示す一部平面図、図８は、刈取部の前処理機構の下方支持構造を示す平面図、図９は、同じく駆動系を示す平面図である。
【０００８】
図１、図８よりコンバインの全体構造について説明する。
コンバインは、左右クローラ４４Ｌ・４４Ｒを支承してなるクローラ走行装置上にシャーシ１０を配設し、このシャーシ１０上の前部右側に図示せぬエンジンを搭載し、このシャーシ１０前方において、ミッションケースＭを配設して、このミッションケースＭに左右クローラ４４Ｌ・４４Ｒの駆動輪の車軸４３を懸架している。
このシャーシ１０の上部において、走行方向の左側にはフィードチェーン４１や扱胴を内設する脱穀部Ｄを、その下方には、脱穀部Ｄより落下する穀粒等を選別する唐箕や揺動選別装置等を内設する選別部を搭載している。
また、シャーシ１０上の右側においては、上方に籾タンク４６が配設されていて、選別部より揚穀コンベア４５にて籾が収納され、その下方に籾袋の載置部が具備されている。
【０００９】
前記シャーシ１０の右側前部上にはフロントコラム４７や、座席４８を配設した操作部Ｓが形成されており、このフロントコラム４７には、旋回操作や刈取昇降を行う操向・刈取昇降レバーＬ１や、走行変速レバーＬ２等の操縦用部材が配設され、サイドコラム上には、刈取クラッチレバーＬ３や脱穀クラッチレバーＬ４等が配設されている。
【００１０】
前記操作部Ｓの左側、即ち、シャーシ１０の左側部分の前方には、刈取部Ｋが配設されている。
ここで、刈取部Ｋの概略について、図１及び図５より説明する。刈取部Ｋの前部は引起し装置２２Ｌ・２２Ｒやスターホイル１９Ｌ・１９Ｒ、掻込みベルト２０Ｌ・２０Ｒ、刈刃２１等より構成される前処理機構が配置され、この前処理機構は、刈取部Ｋの下部に横向きに配設される横伝動軸ケース１８に支持されている。
【００１１】
前記横伝動軸ケース１８の左右端には、図６、図８の如く、リンクブラケット６１Ｌ・６１Ｒが固設されており、このリンクブラケット６１Ｌ・６１Ｒに、平行リンクを形成するスライドリンク１７Ｌ・１７Ｒの前端が枢支され、このスライドリンク１７Ｌ・１７Ｒの後端は、横支持杆１６の左右端に左右回動自在に枢支されている。
そして、前記横伝動軸ケース１８は、このスライドリンク１７Ｌ・１７Ｒの回動にて左右スライド可能となっており、前記横支持杆１６は、刈取部Ｋの最後部にて横設される刈取入力軸ケース１３より前方に突設固定された縦支持杆１４の前端に固設されている。
【００１２】
前記前処理機構への動力の伝動は、図８、図９に示すように、刈取入力軸ケース１３内に、右端に刈取入力プーリー２３を付設する刈取入力軸２４が軸支されており、この刈取入力軸ケース１３の中途部にて、揺動可能に枢支され、かつ伸縮可能に前方に延設される揺動伝動軸ケース２５内に軸支された揺動伝動軸２６の後端がこの刈取入力軸２４よりベベルギア噛合にて伝動されて、この揺動伝動軸２６の前端が、右引起し装置２２Ｒへの伝動軸である右引起し伝動軸２７に伝動される。
この右引起し伝動軸２７は、一方、分割伝動ケース２８を介して、下方に右下部伝動軸２９に伝動されて、横伝動軸ケース１８内に軸支される横伝動軸に伝動されている。
更に、その左端より左引起し伝動軸３１を立ち上げ、左引起し装置２２Ｌに伝動している。また、スターホイル１９Ｒ・掻込みベルト２０Ｒ・刈刃２１への伝動軸を横伝動軸より分岐させており、スターホイル１９Ｌ・掻込みベルト２０Ｌは、このスターホイル１９Ｒ・掻込みベルト２０Ｒの駆動に従動させる。
【００１３】
更に、刈取入力軸ケース１３の左端には、搬送駆動軸ケース３３が、扱深さ調節のために回動可能に枢支されていて、この搬送駆動軸ケース３３内には、略上下方向に搬送駆動軸３４が、この刈取入力軸２４の左端にベベルギア噛合して軸支されており、その上端に穂先搬送装置３５の駆動スプロケット３６、下端に縦搬送装置３８の駆動スプロケットを固設して動力を伝えるように構成している。
【００１４】
次に、コンバインの刈取部固定機構について説明する。
図７に示すように、前記右側スライドリンク１７Ｒの先端には、右・中・左三個の係止孔１７Ａ・１７Ｂ・１７Ｃが穿設されている。
一方、右側リンクブラケット６１Ｒにおいて、後述する、スライド操作レバー６４の下端部６４ｃを嵌挿するための嵌挿孔６１ａが穿設されていて、このスライド操作レバー６４を、この嵌挿孔６１ａを通して、前記係止孔１７Ａ・１７Ｂ・１７Ｃのいずれかに嵌入することで、図６の如く、スライドリンク１７Ｌ・１７Ｒを右位置Ａ・中位置Ｂ・左位置Ｃの三位置に固定し、従って、前記刈取部Ｋを左・中・右の三位置に固定するよう構成している。
【００１５】
また、前記スライド操作レバー６４を、上方に持ち上げると、前記係止孔１７Ａ・１７Ｂ・１７Ｃの何れかから、このスライド操作レバー下端部６４ｃが抜脱し、そして、この状態で、スライド操作レバー６４を左右に回動すると、前記刈取部Ｋが左右に移動するよう構成している。
なお、本実施例では、前記係止孔１７Ａ・１７Ｂ・１７Ｃを三箇所に穿設しているが、二個であっても四個以上であってもよく孔数は限定されるものではない。
【００１６】
前述のスライド操作レバー６４について、図１乃至図６を用いて説明する。
このスライド操作レバー６４は、前記刈取部Ｋの右側上方、つまり、右引起し装置２２Ｒ上方に配設されている。また、スライド操作レバー６４の上方部６４ａは、図３の如く、右上方伝動ケース６５に係止された、取付ステー６５ａに、回動可能に支持されている。
また、スライド操作レバー６４の中途部６４ｂは、図４の如く、右下方伝動ケース６６に固設された、ステーのガイド溝６６ａに脱着可能に支持されており、そして、下端部６４ｃは前述の如く、右側スライドリンク１７Ｒの何れかの係止孔１７Ａ・１７Ｂ・１７Ｃに嵌入されている。
なお、図５の如く、中途部６４ｂの下部にはバネ６０が外嵌されており、前記下端部６４ｃの係止孔１７Ａ・１７Ｂ・１７Ｃへ嵌入するように付勢している。
【００１７】
前述したように、スライド操作レバー６４は操作部Ｓの座席４８の近傍に位置して、上から取付ステー６５ａ、ガイド溝６６ａ、右側リンクブラケット６１Ｒに支持されている。
スライド操作する場合には、座席４８に位置したままで操作でき、スライド操作レバー６４を持ち上げて、手動で押し引きして所望の位置まで回動し、手を放すとバネ６０の付勢力によって下端部６４ｃが係止孔１７Ａ・１７Ｂ・１７Ｃの何れかに嵌入させてロックする。
【００１８】
以上のように構成したことによって、コンバインの刈取部Ｋの右側上方の座席４８から、スライド操作レバー４６を操作して刈取部Ｋの左右位置へスライドができ、更に、このスライド操作レバー４６には、バネ６０が外嵌されているので、ロック位置での前記係止孔１７Ａ・１７Ｂ・１７Ｃに付勢されて、脱抜を防止することが可能となる。
【図面の簡単な説明】
【００１９】
【図１】コンバインの正面図である。
【図２】本発明のスライド式刈取部の固定機構を示す斜視略図である。
【図３】スライド操作レバー上位置の支持状態を示す図である。
【図４】同じく中位置の支持状態を示す図である。
【図５】刈取部の側面図である。
【図６】同じく平面図である。
【図７】スライドリンクの揺動を示す一部平面図である。
【図８】刈取部の前処理機構の下方支持構造を示す平面図である。
【図９】同じく駆動系を示す平面図である。
【符号の説明】
【００２０】
Ｋ  刈取部
１６  横支持杆
１７  スライドリンク
１７Ａ・１７Ｂ・１７Ｃ  係止孔
１８  横伝動軸ケース
１９  スターホイル
６０  バネ
６１  リンクブラケット
６１ａ  嵌挿孔
６４  スライド操作レバー
６５  右上方伝動ケース
６５ａ  取付ステー
６６  右下方伝動ケース
６６ａ  ガイド溝
【図１】
2005052151.tif 000003
【図２】
2005052151.tif 000004
【図３】
2005052151.tif 000005
【図４】
2005052151.tif 000006
【図５】
2005052151.tif 000007
【図６】
2005052151.tif 000008
【図７】
2005052151.tif 000009
【図８】
2005052151.tif 000010
【図９】
2005052151.tif 000011